(57)【要約】【課題】  専用工具を用いることなく胴に容易に着脱できるとともに、胴に対する十分な取付け強度を確保でき、しかも、使用感が良い腕時計を提供する。【解決手段】  取付け穴７を有したかん足６を胴５に突設し、胴５に着脱可能なバンド３のエンドピース（胴接続端部）１１を出し入れ可能に受け入れるかん股５ａをかん足６間に形成する。エンドピース１１に操作開口を設ける。筒状回転体２２及び連結軸２３，２４を備えた連結器２１をエンドピース１１に内装する。筒状回転体２２は雌ねじ２２ａ，２２ｂを有し、これらに連結軸２３，２４を螺合する。筒状回転体２２は操作開口と対向して設けられていてエンドピース１１の外部から手回し操作される。連結軸２３，２４を、エンドピース１１に回り止めして、筒状回転体２２の回転に伴いエンドピース１１の幅方向の端面に対して出没可能に設ける。出没された連結軸２３，２４は取付け穴７に挿脱されて、胴５に対するバンド３の着脱を可能とする。【選択図】      図３
2006343251.tif 000002
【特許請求の範囲】
【請求項１】
胴にバンドが着脱可能に連結された腕時計において、
前記バンドの操作開口を有した胴接続端部を出し入れ可能に受け入れるかん股を形成して前記胴から突出され、かつ、取付け穴を有したかん足と、
前記胴接続端部に回り止めされるとともに前記胴接続端部の幅方向の端面に対して出没可能に設けられこの出没により前記取付け穴に挿脱される連結軸、及びこの連結軸が螺合された雌ねじを有して前記操作開口と対向して設けられ前記胴接続端部の外部から手回し操作される筒状回転体を備えて、前記胴接続端部に内装された連結器と、
を具備した腕時計。
【請求項２】
一対の前記雌ねじを逆ねじにして前記筒状回転体に設けるとともに、これら雌ねじに一対の前記連結軸を個別に螺合させた請求項１に記載の腕時計。
【請求項３】
前記バンドが複数のバンド駒を連結してなり、このバンドのエンドピースで前記胴接続端部を形成した請求項２に記載の腕時計。
【請求項４】
前記バンドがレザー製又は合成皮革製であって、そのレザー部材又は合成皮革部材が折り返えされた一端部に前記操作開口を形成するとともに、この一端部に前記連結器が取付けられる連結ベース部材を内蔵して、前記胴接続端部を形成した請求項２に記載の腕時計。
【請求項５】
前記雌ねじとこれに螺合した前記連結軸とを前記筒状回転体の軸方向一端側部位に設け、前記筒状回転体の軸方向他端側部位に、前記胴接続端部の幅方向の端面に対して出没する方向に移動可能でその移動により前記取付け穴に挿脱される他の連結軸と、この他の連結軸を突出方向に付勢する付勢体とを設けた請求項１に記載の腕時計。
【請求項６】
前記操作開口を前記胴接続端部の裏面に露出させた請求項１から５の内のいずれか一項に記載の腕時計。
【請求項７】
かん股を形成するとともに取付け穴を有したかん足が胴に設けられた腕時計に備えられ、前記胴部に着脱可能に連結される時計用バンドであって、
操作開口を有して前記かん股に出し入れ可能に受入れられる胴接続端部と、
この胴接続端部に回り止めされるとともに前記胴接続端部の幅方向の端面に対して出没可能に設けられこの出没により前記取付け穴に挿脱される連結軸、及びこの連結軸が螺合された雌ねじを有して前記操作開口と対向して設けられ前記胴接続端部の外部から手回し操作される筒状回転体を備えて、前記胴接続端部に内装された連結器と、
を具備した時計用バンド。
【請求項８】
一対の前記雌ねじを逆ねじにして前記筒状回転体に設けるとともに、これら雌ねじに一対の前記連結軸を個別に螺合させた請求項７に記載の時計用バンド。
【請求項９】
前記バンドが複数のバンド駒を連結してなり、このバンドのエンドピースで前記胴接続端部を形成した請求項８に記載の時計用バンド。
【請求項１０】
前記バンドがレザー製又は合成皮革製であって、そのレザー部材又は合成皮革部材が折り返えされた一端部に前記操作開口を形成するとともに、この一端部に前記連結器が取付けられる連結ベース部材を内蔵して、前記胴接続端部を形成した請求項８に記載の時計用バンド。
【請求項１１】
前記雌ねじとこれに螺合した前記連結軸とを前記筒状回転体の軸方向一端側部位に設け、前記筒状回転体の軸方向他端側部位に、前記胴接続端部の幅方向の端面に対して出没する方向に移動可能でその移動により前記取付け穴に挿脱される他の連結軸と、この他の連結軸を突出方向に付勢する付勢体とを設けた請求項７に記載の時計用バンド。
【請求項１２】
前記操作開口を前記胴接続端部の裏面に露出させた請求項７から１１の内のいずれか一項に記載の時計用バンド。
【発明の詳細な説明】
【技術分野】
【０００１】
本発明は、時計用バンド及びこのバンドが胴に着脱可能に取付けられた腕時計に関する。
【背景技術】
【０００２】
従来、専用の工具を用いることなく、腕時計の胴にバンドを着脱可能に取付ける技術が知られている（例えば、特許文献１参照。）。
【０００３】
この特許文献１の技術では、２つのカール部を有した金属板を皮革ハンドの端部に取付け、ばね棒を２つのカール部に渡って設けている。ばね棒は、ばね線材の中間部に略Ｖ字状に折り曲げられたハンドルと、このハンドルから互いに遠ざかるように折り曲げられた一端と他端とを有している。このばね棒の両端は２つのカール部に個別に挿入して回転可能に保持され、ハンドルは２つのカール部間に配置されている。そして、２つのカール部のうちの一方に、ハンドルを広狭スライドさせる傾斜面と、この傾斜面の狭幅端にハンドルを収縮状態に保持するテーパ面とを設けている。
【０００４】
ばね線材からなるばね棒の一端はこれを保持した方のカール部から常に突出されている。これに対して、ばね棒の他端は、ハンドルを回転させてバンドの裏面に倒すことに伴いハンドルが広がることによって、他方のカール部から突出され、この逆にハンドルを回転させてバンドの裏面に対して起すことに伴い、ハンドルが収縮状態となることによって他方のカール部内に没入される。
【０００５】
したがって、ばね棒のハンドルを回転させることによって、このばね棒の端を、胴のかん足に設けた孔に出し入れできる。このため、専用の工具を用いることなく、バンドを胴に着脱できる。
【特許文献１】登録実用新案第3042321号公報（段落0008−0010、図１−図２）
【発明の開示】
【発明が解決しようとする課題】
【０００６】
弾性変形が可能なばね線材を折り曲げ加工して形成されたばね棒のばね性が強い場合には、そのハンドルを起す際の操作性が低下する。この逆に、ばね棒のばね性が弱い場合には、所定の強度で胴にバンドを取付け保持する信頼性が低下する。ばね棒のばね性はそのハンドルの曲げ加工も影響して一般的にばらつきが大きい。このため、特許文献１の技術は、胴に対するバンドの容易な着脱操作性と十分な取付け強度を共に確保する上では好ましくない。
【０００７】
又、腕時計の使用時に、バンドの裏側に沿っているばね棒のハンドルが使用者の手首に接触することが考えられ、この場合には使用感を損なうことがある。
【０００８】
しかも、胴から外されたバンドが保管される状態では、ばね棒のハンドルは、バンドの裏面に沿った状態とすることが普通である。このため、バンドを腕時計の胴に取付ける際には、一旦、ハンドルを起してばね棒の可動する方の端を、この端を保持するカール部内に没入させる作業が必要となる。よって、胴にバンドを取付ける作業が比較的面倒でもある。
【０００９】
本発明の目的は、専用工具を用いることなく胴に容易に着脱できるとともに、胴に対する十分な取付け強度を確保でき、しかも、使用感が良い腕時計及びこの腕時計に備えられる時計用バンドを提供することにある。
【課題を解決するための手段】
【００１０】
前記課題を解決するために、本発明の腕時計は、胴にバンドが着脱可能に連結された腕時計において、前記バンドの操作開口を有した胴接続端部を出し入れ可能に受け入れるかん股を形成して前記胴から突出され、かつ、取付け穴を有したかん足と、前記胴接続端部に回り止めされるとともに前記胴接続端部の幅方向の端面に対して出没可能に設けられこの出没により前記取付け穴に挿脱される連結軸、及びこの連結軸が螺合された雌ねじを有して前記操作開口と対向して設けられ前記胴接続端部の外部から手回し操作される筒状回転体を備えて、前記胴接続端部に内装された連結器と、を具備している。
【００１１】
この発明の腕時計で、胴にバンドを取付けるには、バンドの胴接続端部を胴のかん股に配置してから、胴接続端部の操作開口に対向している連結器の筒状回転体を、専用の工具やコイン等を用いることなく手回しして、連結軸を胴接続端部の幅方向の端面から突出させればよい。この場合、連結軸が回り止めされているので、これと筒状回転体の回転に伴う雌ねじとの噛み合いの変化により、連結軸が胴接続端部からこの端部の幅方向に突出される。それにより、連結軸がかん足の取付け穴に挿入されて、胴にバンドが取付けられる。
【００１２】
胴からバンドを外すには、胴のかん股に配置されているバンドの胴接続端部の操作開口に対向している連結器の筒状回転体を、取付けの場合と同様に専用の工具を用いることなく手回しして、連結軸を胴接続端部の幅方向の端面に没するように移動させればよい。この場合、連結軸が回り止めされているので、これと筒状回転体の回転に伴う雌ねじとの噛み合いの変化により、連結軸を胴接続端部内に引き込むことができる。それにより、この連結軸がそれまで嵌合していたかん足の取付け穴から抜き出されて、バンドの胴接続端部を胴のかん股から外すことができる。
【００１３】
この発明では、胴へのバンドの連結を担う連結軸は、ばね線材で形成されていないので、胴との連結上必要な強度を有した金属等の材料や太さで形成できる。これにより、胴に対するバンドの十分な取付け強度を確保できる。そして、連結器はバンドの胴接続端部に収容されていて、その筒状回転体の外周面が使用者の手首に触れることがあっても異物感を与えることはないので、使用感が良い。
【００１４】
本発明の腕時計の好ましい形態では、一対の前記雌ねじを逆ねじにして前記筒状回転体に設けるとともに、これら雌ねじに一対の前記連結軸を個別に螺合させている。この場合、前記バンドが複数のバンド駒を連結してなり、このバンドのエンドピースで前記胴接続端部を形成することができ、又は、前記バンドがレザー製又は合成皮革製であって、そのレザー部材又は合成皮革部材が折り返えされた一端部に前記操作開口を形成するとともに、この一端部に前記連結器が取付けられる連結ベース部材を内蔵して、前記胴接続端部を形成することもできる。
【００１５】
この発明の形態では、筒状回転体を手回しすることによって、一対の連結軸を同時に互いに逆方向に移動させて、胴接続端部の幅方向の端面に対して突出又没入させることができるので、バンドの胴に対する着脱操作性をより向上できる。
【００１６】
又、本発明の腕時計の好ましい形態では、前記雌ねじとこれに螺合した前記連結軸とを前記筒状回転体の軸方向一端側部位に設け、前記筒状回転体の軸方向他端側部位に、前記胴接続端部の幅方向の端面に対して出没する方向に移動可能でその移動により前記取付け穴に挿脱される他の連結軸と、この他の連結軸を突出方向に付勢する付勢体とを設けている。
【００１７】
この発明の形態で、胴にバンドを取付けるには、まず、バンドの胴接続端部を胴のかん股に配設する。この配設は、胴接続端部を斜めの姿勢にして付勢体で付勢されている他の連結軸を一方の取付け穴に挿入してから、胴接続端部をかん股に収め、この状態で筒状回転体を前記一方の取付け穴方向に付勢体に抗して移動させることによって実施する。この状態後に筒状回転体が付勢体により押し戻されるので、雌ねじに螺合している方の連結軸を、他方の取付け穴に挿入させることができる。この後に、胴接続端部の操作開口に対向している連結器の筒状回転体を、専用の工具やコイン等を用いることなく手回しして、連結軸を胴接続端部の幅方向の端面から十分に突出させる。この場合、連結軸が回り止めされているので、これと筒状回転体の回転に伴う雌ねじとの噛み合いの変化により、連結軸が胴接続端部からこの端部の幅方向に突出されて、かん足の取付け穴に深く挿入される。以上の操作により胴にバンドが取付けられる。
【００１８】
胴からバンドを外すには、胴のかん股に配置されているバンドの胴接続端部の操作開口に対向している連結器の筒状回転体を、取付けの場合と同様に専用の工具を用いることなく手回しして、雌ねじに螺合されている方の連結軸を胴接続端部の幅方向の端面に没する方向に移動させればよい。この場合、連結軸が回り止めされているので、これと筒状回転体の回転に伴う雌ねじとの噛み合いの変化により、連結軸が胴接続端部内に向けて移動される。そして、バンドの胴接続端部を付勢体で付勢されている他の連結軸側に寄せながら斜めにして、それまで嵌合していたかん足の取付け穴から連結軸を抜き出して、胴接続端部を胴のかん股から外すことができる。
【００１９】
この発明では、胴へのバンドの連結を担う連結軸は、ばね線材で形成されていないので、胴との連結上必要な強度を有した金属等の材料や太さで形成できる。これにより、胴に対するバンドの十分な取付け強度を確保できる。そして、連結器はバンドの胴接続端部に収容されていて、その筒状回転体の外周面が使用者の手首に触れることがあっても異物感を与えることはないので、使用感が良い。
【００２０】
又、本発明の腕時計の好ましい形態では、前記操作開口を前記胴接続端部の裏面に露出させている。
【００２１】
この発明の形態では、操作開口に対向した筒状回転体が、腕時計の使用時には隠されるので、使用時の体裁が良いとともに、使用時に他の物体が筒状回転体に接触してこの筒状回転体が不用意に回される恐れがない。
【００２２】
又、前記課題を解決するために、本発明の時計用バンドは、かん股を形成するとともに取付け穴を有したかん足が胴に設けられた腕時計に備えられ、前記胴部に着脱可能に連結される時計用バンドであって、操作開口を有して前記かん股に出し入れ可能に受入れられる胴接続端部と、この胴接続端部に回り止めされるとともに前記胴接続端部の幅方向の端面に対して出没可能に設けられこの出没により前記取付け穴に挿脱される連結軸、及びこの連結軸が螺合された雌ねじを有して前記操作開口と対向して設けられ前記胴接続端部の外部から手回し操作される筒状回転体を備えて、前記胴接続端部に内装された連結器と、を具備している。
【００２３】
この発明の時計用バンドを胴に取付けるには、バンドの胴接続端部を胴のかん股に配置してから、胴接続端部の操作開口に対向している連結器の筒状回転体を、専用の工具やコイン等を用いることなく手回しして、連結軸を胴接続端部の幅方向の端面から突出させればよい。この場合、連結軸が回り止めされているので、これと筒状回転体の回転に伴う雌ねじとの噛み合いの変化により、連結軸が胴接続端部からこの端部の幅方向に突出される。それにより、連結軸がかん足の取付け穴に挿入されて、胴にバンドが取付けられる。
【００２４】
バンドを胴から外すには、胴のかん股に配置されているバンドの胴接続端部の操作開口に対向している連結器の筒状回転体を、取付けの場合と同様に専用の工具を用いることなく手回しして、連結軸を胴接続端部の幅方向の端面に没するように移動させればよい。この場合、連結軸が回り止めされているので、これと筒状回転体の回転に伴う雌ねじとの噛み合いの変化により、連結軸を胴接続端部内に引き込むことができる。それにより、この連結軸がそれまで嵌合していたかん足の取付け穴から抜き出されて、バンドの胴接続端部を胴のかん股から外すことができる。
【００２５】
この発明では、胴へのバンドの連結を担う連結軸は、ばね線材で形成されていないので、胴との連結上必要な強度を有した金属等の材料や太さで形成できる。これにより、胴に対するバンドの十分な取付け強度を確保できる。そして、連結器はバンドの胴接続端部に収容されていて、その筒状回転体の外周面が使用者の手首に触れることがあっても異物感を与えることはないので、使用感が良い。
【００２６】
本発明の時計用バンドの好ましい形態では、一対の前記雌ねじを逆ねじにして前記筒状回転体に設けるとともに、これら雌ねじに一対の前記連結軸を個別に螺合させている。この場合、前記バンドが複数のバンド駒を連結してなり、このバンドのエンドピースで前記胴接続端部を形成することができ、又は、前記バンドがレザー製又は合成皮革製であって、そのレザー部材又は合成皮革部材が折り返えされた一端部に前記操作開口を形成するとともに、この一端部に前記連結器が取付けられる連結ベース部材を内蔵して、前記胴接続端部を形成することもできる。
【００２７】
この発明の形態では、筒状回転体を手回しすることによって、一対の連結軸を同時に互いに逆方向に移動させて、胴接続端部の幅方向の端面に対して突出又没入させることができるので、バンドの胴に対する着脱操作性をより向上できる。
【００２８】
又、本発明の時計用バンドの好ましい形態では、前記雌ねじとこれに螺合した前記連結軸とを前記筒状回転体の軸方向一端側部位に設け、前記筒状回転体の軸方向他端側部位に、前記胴接続端部の幅方向の端面に対して出没する方向に移動可能でその移動により前記取付け穴に挿脱される他の連結軸と、この他の連結軸を突出方向に付勢する付勢体とを設けている。
【００２９】
この発明の形態で、バンドを胴に取付けるには、まず、バンドの胴接続端部を胴のかん股に配設する。この配設は、胴接続端部を斜めの姿勢にして付勢体で付勢されている他の連結軸を一方の取付け穴に挿入してから、胴接続端部をかん股に収め、この状態で筒状回転体を前記一方の取付け穴方向に付勢体に抗して移動させることによって実施する。この状態後に筒状回転体が付勢体により押し戻されるので、雌ねじに螺合している方の連結軸を、他方の取付け穴に挿入させることができる。この後に、胴接続端部の操作開口に対向している連結器の筒状回転体を、専用の工具やコイン等を用いることなく手回しして、連結軸を胴接続端部の幅方向の端面から十分に突出させる。この場合、連結軸が回り止めされているので、これと筒状回転体の回転に伴う雌ねじとの噛み合いの変化により、連結軸が胴接続端部からこの端部の幅方向に突出されて、かん足の取付け穴に深く挿入される。以上の操作により胴にバンドが取付けられる。
【００３０】
バンドを胴から外すには、胴のかん股に配置されているバンドの胴接続端部の操作開口に対向している連結器の筒状回転体を、取付けの場合と同様に専用の工具を用いることなく手回しして、雌ねじに螺合されている方の連結軸を胴接続端部の幅方向の端面に没する方向に移動させればよい。この場合、連結軸が回り止めされているので、これと筒状回転体の回転に伴う雌ねじとの噛み合いの変化により、連結軸が胴接続端部内に向けて移動される。そして、バンドの胴接続端部を付勢体で付勢されている他の連結軸側に寄せながら斜めにして、それまで嵌合していたかん足の取付け穴から連結軸を抜き出して、胴接続端部を胴のかん股から外すことができる。
【００３１】
この発明では、胴へのバンドの連結を担う連結軸は、ばね線材で形成されていないので、胴との連結上必要な強度を有した金属等の材料や太さで形成できる。これにより、胴に対するバンドの十分な取付け強度を確保できる。そして、連結器はバンドの胴接続端部に収容されていて、その筒状回転体の外周面が使用者の手首に触れることがあっても異物感を与えることはないので、使用感が良い。
【００３２】
又、本発明の時計用バンドの好ましい形態では、前記操作開口を前記胴接続端部の裏面に露出させている。
【００３３】
この発明の形態では、操作開口に対向した筒状回転体が、腕時計の使用時には隠されるので、使用時の体裁が良いとともに、使用時に他の物体が筒状回転体に接触してこの筒状回転体が不用意に回される恐れがない。
【発明の効果】
【００３４】
本発明によれば、専用工具及びコイン等を用いることなく、単なる手回し操作で連結器の筒状回転体を回転させるという容易な作業で胴にバンド着脱できるとともに、一対の連結軸によって胴に対する十分な取付け強度を確保でき、しかも、使用感も良い腕時計、及びこの腕時計に用いられる時計用バンドを提供できる。
【発明を実施するための最良の形態】
【００３５】
図１〜図４を参照して本発明の第１実施形態を説明する。
【００３６】
図１に示す腕時計１は、時計外装組立２に例えば一対のバンド３を取付けている。時計外装組立２内には、文字板及び図示しない時計ムーブメント等が収容されている。なお、図１中符号４は竜頭を示している。
【００３７】
図１に示すようにバンド３は、文字板の６時及び１２時側に対応して時計外装組立２が備えた金属又は合成樹脂製の胴５に、着脱可能に取付けられている。バンド３は、金属又は合成樹脂からなる複数のバンド駒３ａを棒状の駒連結部品（図示しない）により、この駒連結部品を中心に回転可能に連結して形成されている。一方のバンド３が有した結合端部３ｂと、他方のバンド３が有した結合端部３ｃとは、係脱可能であり、その係合によって使用者の腕にバンド３を巻き付けた状態に保持できる。
【００３８】
一対のバンド３を胴５に着脱するための構成は同じであるので、ここでは一方を代表して説明する。
【００３９】
図１及び図２に示すように時計外装組立２の胴５の外周面には文字板の６時及び１２時側に対応して夫々一対のかん足（かん部とも称することもできる。）６が一体に突設されている。文字板の３時−９時方向に対応して対をなすかん足６間にはかん股５ａが形成されている。図２に示すようにかん足６の夫々には取付け穴７が設けられている。取付け穴７は夫々かん股５ａに開放されている。取付け穴７は、通孔であっても、底がある凹部であってもよい。
【００４０】
バンド３は時計外装組立２側に位置する端部に、胴接続端部として機能するエンドピース１１を備えている。このエンドピース１１は金属製であることが好ましいが、硬質合成樹脂製でもよい。エンドピース１１の幅は、バンド駒３ａが有する凹部３ｄの幅より多少狭いとともに、文字板の３時−９時方向に対応して対をなすかん足６間、つまり、かん股５ａの幅より多少狭い。
【００４１】
図２〜図４に示すようにエンドピース１１は、時計外装組立２に最も近く配置されるバンド駒３ａの凹部３ｄに嵌合される部位に、これを幅方向に貫通する通孔１１ａを有している。エンドピース１１は、凹部３ｄに嵌合されて、この凹部３ｄの幅方向一端を仕切った凸部３ｅから通孔１１ａに通された連結ピン１２の先端部に、凹部３ｄの幅方向他端を仕切った凸部３ｆ内ですり割り（図示しない）付きの連結パイプ１３を嵌着することによって、バンド駒３ａに回転可能に連結されている。
【００４２】
時計外装組立２に最も近く配置されるバンド駒３ａから突出されたエンドピース１１の部位に、収容部１４と、この収容部１４に連通した一対の孔１５と、これらの孔１５に連通してエンドピース１１の幅方向両端面に開放した溝１６とが設けられている。収容部１４は、エンドピース１１の端面及び裏面１１ｂにわたって開口されていて、その内の裏面開口は操作開口１４ａ（図３参照）として用いられている。孔１５は例えば丸孔である。溝１６も例えば図４に示すように円形である。
【００４３】
溝１６の夫々には回り止め手段として回り止め板１７が収容されていて、スポット溶接やろう付け接合等によりエンドピース１１に固定されている。回り止め板１７の中央部には、孔１５と対向する角孔例えば図４に示すように六角形の角孔１７ａが開けられている。この角孔１７ａは円形の孔１５の径より多少大きく形成されている。
【００４４】
時計外装組立２に最も近く配置されるバンド駒３ａから突出されたエンドピース１１の部位には連結器２１が内装されている。連結器２１は、筒状回転体２２と、第１の連結軸２３と、第２の連結軸２４とを備えている。
【００４５】
金属又は硬質合成樹脂製の筒状回転体２２は、好ましくは円筒状をなし、その内周面に第１の雌ねじ２２ａと第２の雌ねじ２２ｂとを有している。第１の雌ねじ２２ａと第２の雌ねじ２２ｂは互いに逆ねじである。この筒状回転体２２の外周面は、筒状回転体２２を手回し操作する際の指の滑り止め手段として、ローレット加工が施されたローレット加工面２２ｃで形成されている。
【００４６】
第１の連結軸２３は、角孔１７ａと同形状の角柱部２３ａと、これに一体に連続したねじ軸部２３ｂとからなる。この第１の連結軸２３はそのねじ軸部２３ｂを第１の雌ねじ２２ａに進退可能に螺合して筒状回転体２２の一端に突設されている。同様に、第２の連結軸２４も、角孔１７ａと同形状の角柱部２４ａと、これに一体に連続したねじ軸部２４ｂとからなる。この第２の連結軸２４はそのねじ軸部２４ｂを第２の雌ねじ２２ｂに進退可能に螺合して筒状回転体２２の他端に突設されている。
【００４７】
連結器２１は、その第１の連結軸２３を一方の孔１５に挿入するとともに、第２の連結軸２４を他方の孔１５に挿入することによって、両端支持された状態で、かつ、筒状回転体２２を収容部１４に収めてエンドピース１１に取付けられている。この取付け状態では、第１の連結軸２３の角柱部２３ａが一方の角孔１７ａに挿入されて回り止めされているとともに、同様の第２の連結軸２４の角柱部２４ａが他方の角孔１７ａに挿入されて回り止めされている。
【００４８】
筒状回転体２２の外周面なすローレット加工面２２ｃは、筒状回転体２２の回転操作をより容易にするために、図３に示すように操作開口１４ａから僅かに突出されている。なお、筒状回転体２２はその外周面がエンドピース１１の裏面１１ｂから突出しないように設けることもできる。この場合には、使用者の腕への腕時計１の着脱等に伴って筒状回転体２２が不用意に回転される恐れがない点で好ましい。
【００４９】
以上の構成の連結器２１を介してバンド３を時計外装組立２の胴５に連結する手順を説明する。
【００５０】
まず、図２（Ｂ）に示すようにバンド３のエンドピース１１を時計外装組立２のかん股５ａに配置する。この場合、バンド３の取外しが後述の手順で実施されることにより、第１の連結軸２３及び第２の連結軸２４は最も引っ込んだ状態にある。この状態では連結軸２３，２４の先端はエンドピース１１の幅方向両端面から突出しない状態、つまり、エンドピース１１の幅方向端面に対して引っ込んでいるか、面一となっている。前記配置に伴いエンドピース１１の先端面がかん股５ａの奥面に当たようになった時点で、一対の連結軸２３，２４が夫々対応する取付け穴７に位置決めされる。次に、腕時計１の裏側の操作開口１４ａに露出している筒状回転体２２を作業者の指で一方向に回転させる。この場合の回転方向は取扱説明書などで予め知らされている。
【００５１】
第１の連結軸２３と第２の連結軸２４とは、左右の回り止め板１７で夫々回り止めされている。このため、筒状回転体２２が回転されるに伴い、第１の連結軸２３は、そのねじ軸部２３ｂと第１の雌ねじ２２ａとの噛み合いの変化で図２（Ｂ）の状態から右方へ移動して、エンドピース１１の右端面から突出される。同様に、筒状回転体２２の前記回転に伴い、第２の連結軸２４は、そのねじ軸部２４ｂと第２の雌ねじ２２ｂとの噛み合いの変化で図２（Ｂ）の状態から左方へ移動して、エンドピース１１の左端面から突出される。
【００５２】
このように第１の連結軸２３と第２の連結軸２４とが互いに離れる方向に同時に移動されることにより、図２（Ａ）に示すようにこの図中右側のかん足６の取付け穴７に第１の取付け軸２３の角柱部２３ａが挿入されるとともに、左側のかん足６の取付け穴７に第２の取付け軸２４の角柱部２４ａが挿入されて、胴５にバンド３が取付けられる。
【００５３】
腕時計１の使用時に、使用者の腕によって操作開口１４ａは覆われるので、筒状回転体２２が視認されることがなく外観上好ましいとともに、腕時計１の表側から不用意に筒状回転体２２に物品が当たって、この筒状回転体２２が回転される恐れがない。
【００５４】
バンド３の交換などにおいて、胴５からバンド３を外すには、腕時計１の裏側の操作開口１４ａに露出している筒状回転体２２を作業者の指で、バンド取付けの際の回転方向とは逆の方向に回転させる。この場合の回転方向は取扱説明書などで予め知らされている。
【００５５】
筒状回転体２２の逆回転に伴い、第１の連結軸２３は、そのねじ軸部２３ｂと第１の雌ねじ２２ａとの噛み合いの変化で、エンドピース１１の右端面から突出しないように図２（Ａ）の状態から左方へ移動される。同時に、筒状回転体２２の前記逆回転に伴い、第２の連結軸２４は、そのねじ軸部２４ｂと第２の雌ねじ２２ｂとの噛み合いの変化でエンドピース１１の左端面から突出しないように図２（Ａ）の状態から右方へ移動される。
【００５６】
それにより、第１の連結軸２３又は第２の連結軸２４がそれらに対応する左右の取付け穴７から抜けて図２（Ｂ）の状態となるので、この後にかん股５ａからエンドピース１１を抜き出すことによって、バンド３を胴５から外すことができる。
【００５７】
以上説明したようにバンド３に組込んだ連結器２１の筒状回転体２２を、専用の工具やコイン等を用いることなく手回し操作で回転させるという簡単な操作で、第１の連結軸２３及び第２の連結軸２４をエンドピース１１の幅方向両端に対して出没させて、かん足６の取付け穴７に挿脱させることによって、胴５にバンド３を着脱することができる。
【００５８】
したがって、前記構成の腕時計１は、その組み立て作業性が良いとともに、使用者においても容易にバンド３を胴５に着脱できる。これにより、前記連結器２１をエンドピース１１等の胴接続端部に内装し、かつ、意匠が異なる複数のバンド３を使用者が用意して置く場合には、既述の手順により容易に所望のバンド３に適宜交換して、腕時計１に意匠の変化を与えて使用することが可能となる。
【００５９】
更に、既述のように胴５へのバンド３の連結を担う連結軸２３，２４は、ばね線材で形成されていないので、胴５との連結上必要な強度を有した金属等の材料や太さで形成できる。これにより、胴５に対するバンド３の十分な取付け強度を確保できる。そして、連結器２１はバンド３の胴接続端部であるエンドピース１１に収容されていて、その筒状回転体２２の円形の外周面が使用者の手首に触れても異物感を与え難いので、使用感が良い。
【００６０】
なお、第１実施形態では、第１の連結軸２３及び第２の連結軸２４を回り止めするために、回り止め板１７を設けている。しかし、この回り止め板を省略する代わりに、孔１５を角孔で形成して回り止め手段として用い、これらの角孔に第１の連結軸２３の角柱部２３ａ及び第２の連結軸２４の角柱部２４ａに軸方向に摺動自在に挿入しても良い。
【００６１】
又、この他に、回り止め板１７を、エンドピース１１に固定される部位と、円形の孔１５に対向する小突起とから形成するとともに、連結軸２３，２４の前記角柱部相当部分を丸棒とし、かつ、その周部に長手方向に延びる長溝を形成して、この長溝を前記小突起に摺動自在に嵌合させて、連結軸２３，２４の軸方向に沿う移動を許容しつつ、この連結軸２３，２４の回り止めをしてもよい。
【００６２】
図５は本発明の第２実施形態を示している。第２実施形態は、以下説明する事項以外は図５に示されない構成を含めて第１実施形態と同じ構成であるので、同じ構成については第１実施形態と同じ符号を付して説明を省略する。
【００６３】
第２実施形態では、連結器２１の筒状回転体２２がその外周面をなす摩擦層２２ｄを有している。摩擦層２２ｄは、合成ゴムやエラストマなどの摩擦材料製である。この摩擦層２２ｄによって、筒状回転体２２を回転操作する時に指が滑ることを、より抑制できる。更に、金属製等の筒状回転体２２が使用者の汗に触れないようにできる点で好ましい。
【００６４】
この第２実施形態は、バンドのエンドピース１１に内装した連結器２１を介して胴５にバンドを着脱するので、第１実施形態と同じ作用を得て、本発明の課題を解決できる。
【００６５】
図６〜図８は本発明の第３実施形態を示している。第３実施形態は、以下説明する事項以外は図６〜図８に示されない構成を含めて第１実施形態と同じ構成であるので、同じ構成については第１実施形態と同じ符号を付して説明を省略する。
【００６６】
第３実施形態では、合成皮革又は皮革等を主体として形成されたレザータイプのバンド３３が用いられている。図６に示すように一方のバンド３３はバックル３３ａを有し、他方のバンド３３にはバックル３３ａのタング３３ｂが選択的に挿入される複数のパンチ穴３３ｃが開けられている。
【００６７】
バンド３３の胴接続端部３４は、図７及び図８に示すようにバンド３３をなすレザー部材（又は合成皮革部材）３５の折り返された一端部に連結ベース部材３６を内蔵して形成されている。図７及び８中符号３５ａはレザー部材（又は合成皮革部材）３５の裏側に重なるように折り返された折り返し部分を示しており、この折り返し部分３５ａに操作開口１４ａが開けられている。
【００６８】
連結ベース部材３６は、前記折り返し端部内に接着剤等を用いて接着されている。連結ベース部材３６は第１実施形態で説明したエンドピースに相当するものであって、この連結ベース部材３６に連結器２１が取付けられている。連結器２１の筒状回転体２２は、操作開口１４ａを通して手回し操作されるようにこの操作開口１４ａに対向している。
【００６９】
以上説明した点以外は第１実施形態と同じ構成である。したがって、第３実施形態においても、バンド３３のエンドピース１１に内装した連結器２１の筒状回転体２２を手回しで回転させることによって、胴５にバンド３３を着脱できるので、この第３実施形態は第１実施形態と同じ作用を得て、本発明の課題を解決できる。
【００７０】
図９は本発明の第４実施形態を示している。第４実施形態は、以下説明する事項以外は図９に示されない構成を含めて第１実施形態と同じ構成であるので、同じ構成については第１実施形態と同じ符号を付して説明を省略する。
【００７１】
第４実施形態で用いた連結器２１の筒状回転体２２は、その長手方向中央部に仕切り壁２３ｃを有し、この仕切り壁２３ｃを境に、一端側部位に収容部２３ｄを設け、他端側部位に雌ねじ２２ｂを設けている。
【００７２】
収容部２３ｄの開口縁はこの開口を狭めるように若干曲げられている。この開口縁に引っ掛かって収容部２３ｄから抜け出さないように第１の連結軸２５が収容部２３ｄに挿入されている。更に、収容部２３ａには付勢体として例えばコイルばね２６が収容されている。第１の連結軸２５は、筒状回転体２２の一端から突出して胴接続端部をなすエンドピース１１の一端に設けた孔１５に通されている。コイルばね２６は、第１の連結軸２５と仕切り壁２３ｃとの間に圧縮状態に挟まれていて、第１の連結軸２５をエンドピース１１の端面から突出する方向に付勢している。以上説明した点以外は第１実施形態と同じ構成である。
【００７３】
この第４実施形態で胴５にバンド３を取付けるには、まず、エンドピース１１を、その一方の端面から第２の連結軸２４が少し突出させた状態とした後に、この連結軸２４がある方が上側となる斜めの姿勢にして、第１の連結軸２５を一方のかん足６の取付け穴７に挿入する。
【００７４】
この後に、図９に示す寸法Ａを消失させるように筒状回転体２２をその軸方向に沿って押してコイルばね２６に抗して移動させながら、エンドピース１１を水平状態の姿勢にしてかん股５ａに収容する。この収容後に、エンドピース１１に対するその軸方向の押圧を解除する。これことにより、筒状回転体２２がコイルばね２６の力で押し戻されるので、第２の連結軸２４の角柱部２４ａが、他方のかん足６の取付け穴７に挿入される。
【００７５】
最後に、この状態で筒状回転体２２を回転させて、他方のかん足６の取付け穴７に対する第２の連結軸２４の挿入を深くする。
【００７６】
これにより、胴５にバンド３を取付けることができる。この場合、既述のように第２の連結軸２４の角柱部２４ａの先端部が予め取付け穴７に挿入されることにより、連結器２１がエンドピース１１に両端支持された状態で、筒状回転体２２を手回し操作できるので、この操作により移動される第２の連結軸２４が対向する取付け穴７の縁部に引っ掛かる恐れがなく、従って、円滑に手回し操作ができる点で好ましい。
【００７７】
又、胴５からバンド３を外すには、まず、筒状回転体２２を以上の取付け時の手順とは逆方向に回転させて、第２の連結軸２４を仕切り壁２３ｃに近付けてから、前記寸法Ａを消失させるように筒状回転体２２をコイルばね２６に抗して移動させる。次に、この状態で、第２の連結軸２４がある方が上側となる斜めの姿勢となるようにエンドピース１１を傾けて、一方のかん足６の取付け穴７からこれに挿入されている第１の連結軸２５を抜きながら、エンドピース１１をかん股５ａから外す。
【００７８】
これにより、バンド３を胴５から外すことができる。この場合、筒状回転体２２が前記寸法Ａだけ移動されるので、それ以前になされる筒状回転体２２の回転量が少なくても、第２の連結軸２４をこれが挿入された取付け穴７から確実に抜き出してバンド３を外すことができるとともに、手回しによる筒状回転体２２の回転量を減らすことができる点で好ましい。
【００７９】
以上説明した第４実施形態においても、バンド３のエンドピース１１に内装した連結器２１の筒状回転体２２を手回しで回転させることによって、胴５にバンド３を着脱できるので、この第４実施形態は第１実施形態と同様な作用を得て、本発明の課題を解決できる。
【図面の簡単な説明】
【００８０】
【図１】本発明の第１実施形態に係る腕時計を示す平面図。
【図２】（Ａ）は胴とバンドとの連結部を連結状態で示す断面図。（Ｂ）は胴とバンドとの連結部を連結解除状態で示す断面図。
【図３】図２（Ａ）中Ｆ３−Ｆ３線に沿って示す連結部の断面図。
【図４】図１の腕時計が備えるバンドの胴接続端部を示す側面図。
【図５】本発明の第２実施形態に係る腕時計の胴とバンドとの連結部を示す図３相当の断面図。
【図６】本発明の第３実施形態に係る腕時計を示す平面図。
【図７】図６の腕時計が備えるバンドの胴接続端部を示す裏面図。
【図８】図７中Ｆ８−Ｆ８線に沿って示す胴接続端部の断面図。
【図９】本発明の第４実施形態に係る腕時計の胴とバンドとの連結部を連結状態で示す図２（Ａ）相当の断面図。
【符号の説明】
【００８１】
１…腕時計
２…時計外装組立
３…バンド
５…胴
５ａ…かん股
６…かん足
７…取付け穴
１１…バンドのエンドピース
１４…収容部
１４ａ…操作開口
１７…回り止め板（回り止め手段）
２１…連結器
２２…筒状回転体
２２ａ…第１の雌ねじ
２２ｂ…第２の雌ねじ
２３…第１の連結軸
２４…第２の連結軸
２３ａ、２４ａ…連結軸の角柱部
２３ｂ、２４ｂ…連結軸のねじ軸部
３３…バンド
３４…胴接続端部
３５…レザー部材（又は合成皮革部材）
３６…連結ベース部材
２５…第１の連結軸
２６…コイルばね（付勢体）
【図１】
2006343251.tif 000003
【図２】
2006343251.tif 000004
【図３】
2006343251.tif 000005
【図４】
2006343251.tif 000006
【図５】
2006343251.tif 000007
【図６】
2006343251.tif 000008
【図７】
2006343251.tif 000009
【図８】
2006343251.tif 000010
【図９】
2006343251.tif 000011